(57)【要約】【課題】  洗浄ノズルに目詰まりを生じたとき、目詰まりによる送水圧の上昇を利用して自動的に異物を排除して目詰まりの原因を解消することのできる洗浄ノズルを提供することにある。【解決手段】  外筒１１の内部を導水路１２とシリンダー室１３とに連通状態で区分し、導水路１２側を送水管ａに接続し、異物排除時に取出口となる噴出口１１ｄをシリンダー１３室の先端側１３ａの側周面の一部に形成し、該噴出口１１ｄの開口面積を可変するピストン１４をシリンダー室１３内に装着し、ピストン先端面１４ａに噴射溝１４ｂを形成し、ピストン先端面に作用する通常時の水圧以上で且つ異常時の上昇水圧以下で常時付勢するバネ１６を配置し、バネ１６を支持する固定盤１７を取り付け、ピストン１４を噴出口１１ｄの最小開口面積の位置で係止するストッパー面１１ｃを導水路１２とシリンダー室１３との境界の内周側に形成した。【選択図】        図１
2006223945.tif 000002
【特許請求の範囲】
【請求項１】
外筒の中空筒状内部を導水路と該導水路より直径が大なるシリンダー室とに連通状態で区分し、導水路の流入口側となる外筒一端側を圧力洗浄水が圧送される送水管に接続し、外筒の中空筒状内部の異物排除時に取出口となる圧力洗浄水の噴出口を導水路の流出口側との境界側となるシリンダー室の先端側の側周面の一部に形成し、該噴出口の開口面積を可変するピストンをシリンダー室内に摺動自在に装着し、導水路側に臨むピストン先端面にその中央部位から所定の周縁に向けて上記噴出口より小さく且つ噴射時に噴射口となる噴射溝を形成すると共に、ピストン先端面に形成される噴射溝が上記噴出口の内周側に配置されるようにピストンをシリンダー室内に装着し、上記噴出口の開口面積を最小にすべくピストンをシリンダー室の先端側に向けてピストン先端面に作用する通常時の水圧以上で且つ異常時の上昇水圧以下で常時付勢するバネをピストンの後部側のシリンダー室内に配置し、シリンダー室の後端側となる外筒他端側にピストンを付勢するバネを支持する固定盤を取り付け、付勢されるピストンを噴出口の最小開口面積の位置で係止するストッパー面を導水路とシリンダー室との境界の内周側に形成したことを特徴とする洗浄ノズル。
【請求項２】
外筒の中空筒状内部を導水路と該導水路より直径が大なるシリンダー室とに連通状態で区分し、導水路の流入口側となる外筒一端側を圧力洗浄水が圧送される送水管に接続し、外筒の中空筒状内部の異物排除時に取出口となる圧力洗浄水の噴出口を導水路とシリンダー室との境界側となる導水路の流出口側及びシリンダー室の先端側の側周面の一部に連接状態で形成し、該噴出口の開口面積を可変するピストンをシリンダー室内に摺動自在に装着し、上記噴出口の開口面積を最小にすべくピストンをシリンダー室の先端側に向けてピストン先端面に作用する通常時の水圧以上で且つ異常時の上昇水圧以下で常時付勢するバネをピストンの後部側のシリンダー室内に配置し、シリンダー室の後端側となる外筒他端側にピストンを付勢するバネを支持する固定盤を取り付け、付勢されるピストンを噴出口の最小開口面積の位置で係止するストッパー面を導水路とシリンダー室との境界の内周側に形成したことを特徴とする洗浄ノズル。
【請求項３】
固定盤に環状孔を形成し、ピストンの後部に連結されたピストンロッドの先端側を固定盤の環状孔を貫通させて外筒他端側より外部に突出させ、突出させたピストンロッドの先端に噴出口の開口面積を広げるべく強制的にピストンを後退させる手動用の把手を取り付けた請求項１又は２記載の洗浄ノズル。
【請求項４】
外筒の中空筒状内部を導水路とシリンダー室とに連通状態で区分し、導水路の流入口側となる外筒一端側を圧力洗浄水が圧送される送水管に接続し、外筒の中空筒状内部の異物排除時に取出口となる圧力洗浄水の噴出口を導水路とシリンダー室との境界側となるシリンダー室の先端側の側周面の一部に形成し、該噴出口の開口面積を可変するピストンをシリンダー室内に摺動自在に装着し、上記噴出口の開口面積を最小にすべくピストンを導水路との境界側となるシリンダー室の先端側に向けてピストン先端面に作用する通常時の水圧以上で且つ異常時の上昇水圧以下で常時付勢するバネをピストンの後部側のシリンダー室内に配置し、シリンダー室の後端側となる外筒他端側にピストンを付勢するバネを支持する環状の固定盤を取り付け、ピストンの後部に連結されたピストンロッドの先端側を固定盤の環状孔を貫通させて外筒他端側より外部に突出させ、固定盤に当接してピストンロッドを介してピストンを噴出口の開口面積を所望の最小面積の位置で調節自在に係止する開口幅調整環状盤を突出するピストンロッドの先端側の側周面に調節自在に螺合したことを特徴とする洗浄ノズル。
【請求項５】
突出するピストンロッドの先端に噴出口の開口面積を広げるべく強制的にピストンを後退させる手動用の把手を取り付けた請求項４記載の洗浄ノズル。
【発明の詳細な説明】
【技術分野】
【０００１】
この発明は、被写体例えばネット式除塵機に取り付けられて使用され、ネットで捕捉した塵芥を圧力水を噴射して所定の箇所に落下させて排除する際に使用される洗浄ノズルに係り、特に、洗浄ノズルに目詰まりを生じたとき、目詰まりによる送水圧の上昇を利用して自動的に異物を排除して目詰まりの原因を解消できる洗浄ノズルに関するものである。
【背景技術】
【０００２】
従来、河川などの水路には流着する塵芥を排除するために例えばネット式除塵機などが設置されている。そして、ネット式除塵機においては、ネットで捕捉した塵芥を圧力洗浄水を噴射して所定の箇所に落下させて排除するために、例えば洗浄ノズルが取り付けられて使用されている。このネット式除塵機に取り付けられて使用される洗浄ノズルでは、その圧力洗浄水は水中ポンプ等でネット式除塵機が設置された河川水を吸水し加圧送水したものを使用している。
しかし、吸水する河川水には浮遊塵芥を含んでおり、一応フィルターで吸水中に含まれる浮遊塵芥を排除しているが、微小浮遊塵芥などは完全に排除できず、河川などから吸水して洗浄ノズルに加圧送水される圧力洗浄水はフィルターで排除されなかったこの微小浮遊塵芥を同時に吸い込むため、洗浄ノズルに目詰まりを生じ易いという問題があった。
そこで、本願の特許出願人は、洗浄ノズルに目詰まりを生じたときには、洗浄ノズルのスライド環を手動により引っ張って移動させることで簡単に異物を排除して目詰まりの原因を解消できる洗浄ノズルを創案し、平成１３年３月５日に特許出願（特開２００２−２５３９９３）している。
【特許文献１】特開２００２−２５３９９３
【発明の開示】
【発明が解決しようとする課題】
【０００３】
しかしながら、前記の特開２００２−２５３９９３は、洗浄ノズルに目詰まりを生じたとき簡単に異物を排除できる利点を有するが、洗浄ノズルのスライド環を手動により引っ張って移動させることが必要であり、手動によらずに自動的に目詰まりを解消できる洗浄ノズルが要望されていた。
【０００４】
この発明は、上記のような課題に鑑み、その課題を解決すべく創案されたものであって、その目的とするところは、洗浄ノズルに目詰まりを生じたとき、目詰まりによる送水圧の上昇を利用して自動的に異物を排除して目詰まりの原因を解消することのできる洗浄ノズルを提供することにある。
【課題を解決するための手段】
【０００５】
以上の目的を達成するために、請求項１の発明は、外筒の中空筒状内部を導水路と該導水路より直径が大なるシリンダー室とに連通状態で区分し、導水路の流入口側となる外筒一端側を圧力洗浄水が圧送される送水管に接続し、外筒の中空筒状内部の異物排除時に取出口となる圧力洗浄水の噴出口を導水路の流出口側との境界側となるシリンダー室の先端側の側周面の一部に形成し、該噴出口の開口面積を可変するピストンをシリンダー室内に摺動自在に装着し、導水路側に臨むピストン先端面にその中央部位から所定の周縁に向けて上記噴出口より小さく且つ噴射時に噴射口となる噴射溝を形成すると共に、ピストン先端面に形成される噴射溝が上記噴出口の内周側に配置されるようにピストンをシリンダー室内に装着し、上記噴出口の開口面積を最小にすべくピストンをシリンダー室の先端側に向けてピストン先端面に作用する通常時の水圧以上で且つ異常時の上昇水圧以下で常時付勢するバネをピストンの後部側のシリンダー室内に配置し、シリンダー室の後端側となる外筒他端側にピストンを付勢するバネを支持する固定盤を取り付け、付勢されるピストンを噴出口の最小開口面積の位置で係止するストッパー面を導水路とシリンダー室との境界の内周側に形成した手段よりなるものである。
【０００６】
また、請求項２の発明は、外筒の中空筒状内部を導水路と該導水路より直径が大なるシリンダー室とに連通状態で区分し、導水路の流入口側となる外筒一端側を圧力洗浄水が圧送される送水管に接続し、外筒の中空筒状内部の異物排除時に取出口となる圧力洗浄水の噴出口を導水路とシリンダー室との境界側となる導水路の流出口側及びシリンダー室の先端側の側周面の一部に連接状態で形成し、該噴出口の開口面積を可変するピストンをシリンダー室内に摺動自在に装着し、上記噴出口の開口面積を最小にすべくピストンをシリンダー室の先端側に向けてピストン先端面に作用する通常時の水圧以上で且つ異常時の上昇水圧以下で常時付勢するバネをピストンの後部側のシリンダー室内に配置し、シリンダー室の後端側となる外筒他端側にピストンを付勢するバネを支持する固定盤を取り付け、付勢されるピストンを噴出口の最小開口面積の位置で係止するストッパー面を導水路とシリンダー室との境界の内周側に形成した手段よりなるものである。
【０００７】
また、請求項１、請求項２の好ましい態様として、固定盤に環状孔を形成し、ピストンの後部に連結されたピストンロッドの先端側を固定盤の環状孔を貫通させて外筒他端側より外部に突出させ、突出させたピストンロッドの先端に噴出口の開口面積を広げるべく強制的にピストンを後退させる手動用の把手を取り付けるのがよい。
【０００８】
また、請求項４の発明は、外筒の中空筒状内部を導水路とシリンダー室とに連通状態で区分し、導水路の流入口側となる外筒一端側を圧力洗浄水が圧送される送水管に接続し、外筒の中空筒状内部の異物排除時に取出口となる圧力洗浄水の噴出口を導水路とシリンダー室との境界側となるシリンダー室の先端側の側周面の一部に形成し、該噴出口の開口面積を可変するピストンをシリンダー室内に摺動自在に装着し、上記噴出口の開口面積を最小にすべくピストンを導水路との境界側となるシリンダー室の先端側に向けてピストン先端面に作用する通常時の水圧以上で且つ異常時の上昇水圧以下で常時付勢するバネをピストンの後部側のシリンダー室内に配置し、シリンダー室の後端側となる外筒他端側にピストンを付勢するバネを支持する環状の固定盤を取り付け、ピストンの後部に連結されたピストンロッドの先端側を固定盤の環状孔を貫通させて外筒他端側より外部に突出させ、固定盤に当接してピストンロッドを介してピストンを噴出口の開口面積を所望の最小面積の位置で調節自在に係止する開口幅調整環状盤を突出するピストンロッドの先端側の側周面に調節自在に螺合した手段よりなるものである。
【０００９】
また、請求項４の好ましい態様として、突出するピストンロッドの先端に噴出口の開口面積を広げるべく強制的にピストンを後退させる手動用の把手を取り付けるのがよい。
【発明の効果】
【００１０】
以上の記載より明らかなように、請求項１の発明に係る洗浄ノズルによれば、外筒の中空筒状内部を導水路と該導水路より直径が大なるシリンダー室とに連通状態で区分し、導水路の流入口側となる外筒一端側を圧力洗浄水が圧送される送水管に接続し、外筒の中空筒状内部の異物排除時に取出口となる圧力洗浄水の噴出口を導水路の流出口側との境界側となるシリンダー室の先端側の側周面の一部に形成し、該噴出口の開口面積を可変するピストンをシリンダー室内に摺動自在に装着し、導水路側に臨むピストン先端面にその中央部位から所定の周縁に向けて上記噴出口より小さく且つ噴射時に噴射口となる噴射溝を形成すると共に、ピストン先端面に形成される噴射溝が上記噴出口の内周側に配置されるようにピストンをシリンダー室内に装着し、上記噴出口の開口面積を最小にすべくピストンをシリンダー室の先端側に向けてピストン先端面に作用する通常時の水圧以上で且つ異常時の上昇水圧以下で常時付勢するバネをピストンの後部側のシリンダー室内に配置し、シリンダー室の後端側となる外筒他端側にピストンを付勢するバネを支持する固定盤を取り付け、付勢されるピストンを噴出口の最小開口面積の位置で係止するストッパー面を導水路とシリンダー室との境界の内周側に形成したことにより、洗浄ノズルに目詰まりを生じたときには、シリンダー室内のピストン先端面に作用する水圧が上昇し、そして、ピストン先端面に作用する上昇水圧力がピストンを常時付勢しているバネの押し付け力より大きくなって、バネの押し付け力に勝ってピストンを押し出してシリンダー室内を後端側に向けて移動させて、噴出口の開口面積を大きくして、洗浄ノズルに詰まっていた異物を、送水管から通じて圧送される圧力洗浄水の水圧によって、噴出口の外側に自動的に押し出して排出することができる。このように、洗浄ノズルが目詰まりを生じることによって上昇する水圧を利用して自動的に異物を排除でき、目詰まりの原因を自動的に解消することができる。
【００１１】
また、請求項２の発明に係る洗浄ノズルによれば、外筒の中空筒状内部を導水路と該導水路より直径が大なるシリンダー室とに連通状態で区分し、導水路の流入口側となる外筒一端側を圧力洗浄水が圧送される送水管に接続し、外筒の中空筒状内部の異物排除時に取出口となる圧力洗浄水の噴出口を導水路とシリンダー室との境界側となる導水路の流出口側及びシリンダー室の先端側の側周面の一部に連接状態で形成し、該噴出口の開口面積を可変するピストンをシリンダー室内に摺動自在に装着し、上記噴出口の開口面積を最小にすべくピストンをシリンダー室の先端側に向けてピストン先端面に作用する通常時の水圧以上で且つ異常時の上昇水圧以下で常時付勢するバネをピストンの後部側のシリンダー室内に配置し、シリンダー室の後端側となる外筒他端側にピストンを付勢するバネを支持する固定盤を取り付け、付勢されるピストンを噴出口の最小開口面積の位置で係止するストッパー面を導水路とシリンダー室との境界の内周側に形成したことにより、洗浄ノズルに目詰まりを生じたときには、シリンダー室内のピストン先端面に作用する水圧が上昇し、そして、ピストン先端面に作用する上昇水圧力がピストンを常時付勢しているバネの押し付け力より大きくなって、バネの押し付け力に勝ってピストンを押し出してシリンダー室内を後端側に向けて移動させて、噴出口の開口面積を大きくして、洗浄ノズルに詰まっていた異物を、送水管から通じて圧送される圧力洗浄水の水圧によって、噴出口の外側に自動的に押し出して排出することができる。このように、洗浄ノズルが目詰まりを生じることによって上昇する水圧を利用して自動的に異物を排除でき、目詰まりの原因を自動的に解消することができる。しかも、請求項１のようにピストン先端面には噴射溝が形成されていないので、その分、ピストン先端面の構造が簡単になる。
【００１２】
また、請求項３のように、固定盤に環状孔を形成し、ピストンの後部に連結されたピストンロッドの先端側を固定盤の環状孔を貫通させて外筒他端側より外部に突出させ、突出させたピストンロッドの先端に噴出口の開口面積を広げるべく強制的にピストンを後退させる手動用の把手を取り付けた場合には、洗浄ノズルに目詰まりを生じたときには、把手を手で掴んで引っ張りバネの付勢力に打ち勝ってピストンロッドを通じて外筒のシリンダー室内のピストンをシリンダー室の後端側に向けて強制的に移動させることによって、噴出口の開口面積を最小にすべく噴射口の内周側を塞いでいたピストンを一時的にその箇所から移動させて噴出口の開口面積を最大にでき、開口面積が最大となった噴出口から簡単に異物を排除でき、目詰まりの原因を解消することができる。
【００１３】
また、請求項４の発明に係る洗浄ノズルによれば、外筒の中空筒状内部を導水路とシリンダー室とに連通状態で区分し、導水路の流入口側となる外筒一端側を圧力洗浄水が圧送される送水管に接続し、外筒の中空筒状内部の異物排除時に取出口となる圧力洗浄水の噴出口を導水路とシリンダー室との境界側となるシリンダー室の先端側の側周面の一部に形成し、該噴出口の開口面積を可変するピストンをシリンダー室内に摺動自在に装着し、上記噴出口の開口面積を最小にすべくピストンを導水路との境界側となるシリンダー室の先端側に向けてピストン先端面に作用する通常時の水圧以上で且つ異常時の上昇水圧以下で常時付勢するバネをピストンの後部側のシリンダー室内に配置し、シリンダー室の後端側となる外筒他端側にピストンを付勢するバネを支持する環状の固定盤を取り付け、ピストンの後部に連結されたピストンロッドの先端側を固定盤の環状孔を貫通させて外筒他端側より外部に突出させ、固定盤に当接してピストンロッドを介してピストンを噴出口の開口面積を所望の最小面積の位置で調節自在に係止する開口幅調整環状盤を突出するピストンロッドの先端側の側周面に調節自在に螺合したことにより、洗浄ノズルに目詰まりを生じたときには、シリンダー室内のピストン先端面に作用する水圧が上昇し、そして、ピストン先端面に作用する上昇水圧力がピストンを常時付勢しているバネの押し付け力より大きくなって、バネの押し付け力に勝ってピストンを押し出してシリンダー室内を後端側に向けて移動させて、噴出口の開口面積を大きくして、洗浄ノズルに詰まっていた異物を、送水管から通じて圧送される圧力洗浄水の水圧によって、噴出口の外側に自動的に押し出して排出することができる。このように、洗浄ノズルが目詰まりを生じることによって上昇する水圧を利用して自動的に異物を排除でき、目詰まりの原因を自動的に解消することができる。しかも、請求項１のようにピストン先端面には噴射溝が形成されていないので、その分、ピストン先端面の構造が簡単になる。そのうえ、開口幅調整環状盤を調節してピストン先端面の位置を調整できるので、通常の噴射時の噴射口の大きさを簡単に所望の大きさに調整することができる。
【００１４】
また、請求項５のように、突出するピストンロッドの先端に噴出口の開口面積を広げるべく強制的にピストンを後退させる手動用の把手を取り付けた場合には、洗浄ノズルに目詰まりを生じたときには、把手を手で掴んで引っ張りバネの付勢力に打ち勝ってピストンロッドを通じて外筒のシリンダー室内のピストンをシリンダー室の後端側に向けて強制的に移動させることによって、噴出口の開口面積を最小にすべく噴射口の内周側を塞いでいたピストンを一時的にその箇所から移動させて噴出口の開口面積を最大にでき、開口面積が最大となった噴出口から簡単に異物を排除でき、目詰まりの原因を解消することができる。
【発明を実施するための最良の形態】
【００１５】
以下、図面に記載の発明を実施するための最良の形態に基づいて、この発明をより具体的に説明する。
【００１６】
〔最良の形態−１〕
ここで、図１（Ａ）は噴射時の洗浄ノズルの側断面図、図１（Ｂ）は図１（Ａ）のＢ−Ｂ矢視図、図１（Ｃ）は図１（Ａ）のＣ−Ｃ矢視図、図２は異物排除時の洗浄ノズルの側断面図、図３（Ａ）は外筒の側断面図、図３（Ｂ）はピストン及びピストンロッドの側断面図、図３（Ｃ）はピストン先端面の正面図、図３（Ｄ）はバネの側断面図、図３（Ｅ）は固定盤の側断面図、図３（Ｆ）は把手の側面図である。
【００１７】
図１〜図３において、洗浄ノズル１は、図示しない例えばネット式除塵機に取り付けられて使用され、ネットで捕捉した塵芥を圧力洗浄水を噴射して所定の箇所に落下させて排除するために使用されるもので、外筒１１、外筒１１の内部のシリンダー室１３内に摺動自在に装着されたピストン１４、ピストン１４をシリンダー室１３の先端側１３ａに向けて付勢するバネ１６、外筒１１の他端側１１ｂに取り付けられた固定盤１７などから主に構成されている。
【００１８】
外筒１１はその中空筒状内部が導水路１２と該導水路１２より直径が大なるシリンダー室１３とに連通状態で区分されている。導水路１２側の端部となる外筒１１の一端側１１ａとシリンダー室１３側の端部となる他端側１１ｂは、それぞれ開口されている。外筒１１はその外形が円筒形の形状に形成されている。
【００１９】
導水路１２は洗浄ノズル１から噴射される直前の洗浄水が圧送される通路で、内部断面は例えば円形の形状からなる。導水路１２はその一端側が流入口側１２ａ、他端側が流出口側１２ｂとなっている。導水路１２の流入口側１２ａは外筒１１の一端側１１ａになっていて、流入口側１２ａとなる外筒１１の一端側１１ａは圧力洗浄水が圧送される送水管ａの側周面に開口接続されている。
【００２０】
送水管ａを通じて送水された圧力洗浄水は外筒１１の一端側１１ａとなる導水路１２の流入口側１２ａから導水路１２内に圧送され、ピストン先端面１４ａの噴射溝１４ｂからシリンダー室１３の側周面のピストン１４の付勢によって最小面積になっている噴出口１１ｄを経て一部のストッパー面１１ｃと噴射溝１４ｂとによって形成される噴射口１５から噴射される構造になっている。
【００２１】
シリンダー室１３は、前記の導水路１２よりその直径が大きい例えば円形断面の形状から形成されており、導水路１２の流出口側１２ｂとの境界側となるシリンダー室１３の先端側１３ａはその内径が段差状に大きくなっている。境界側となる導水路１２の流出口側１２ｂとシリンダー室１３の先端側１３ａとは連通状態になっている。
【００２２】
この段差状に大きくなったシリンダー室１３の先端側１３ａの環状内周側にはシリンダー室１３の内周面に対して直交する段差環状面になるストッパー面１１ｃが形成されている。つまりストッパー面１１ｃはシリンダー室１３の切断面に平行に形成されている。ストッパー面１１ｃは導水路１２の流出口側１２ｂの端部の円周縁に沿って円環状に形成されていて、その面は環状平坦面に形成されている。ストッパー面１１ｃは先端側に向けて付勢されるピストン１４のピストン先端面１４ａの周縁側が当接されてピストン１４を係止する機能を果たす。
【００２３】
このストッパー面１１ｃは、ピストン１４を係止すると共にピストン先端面１４ａの一部に形成された噴射溝１４ｂと協動して噴射口１５を形成する。例えば噴射口１５が四辺からなる方形状の場合、噴射溝１４ｂが噴射口１５の三辺を形成し、残りの一辺をストッパー面１１ｃの一部が形成する。
【００２４】
導水路１２の流出口側１２ｂとの境界側に接するシリンダー室１３の先端側１３ａの側周面の一部には噴出口１１ｄが形成されている。噴出口１１ｄは噴射口１５から噴射される直前の圧力洗浄水が通過する開口孔で、この噴出口１１ｄを通過した圧力洗浄水はこれより狭い噴射口１５から外部に勢いよく噴射される。
【００２５】
また、この噴出口１１ｄは、外筒１１の内部に異物が詰まった場合に、その異物を排除するための取出口としても使用される。このため、噴出口１１ｄは外筒１１の内部に詰まった異物が簡単に取り出せる程度の大きさの開口孔に形成されている。噴出口１１ｄはその幅が噴射溝１４ｂの最大幅より幅広でしかもその長さが例えば10mmである。
【００２６】
ピストン１４は、噴射口１５から圧力洗浄水を噴射するために前記噴出口１１ｄを噴射時の最小開口面積にし、又洗浄ノズル１の目詰まり時に外筒１１の導水路１２内に詰まった異物を除去するために噴出口１１ｄを異物排除時の最大開口面積とに可変するものである。
【００２７】
ピストン１４は円柱状の形状を有し、ピストン１４の円形の外径はシリンダー室１３の内径と略同一で、シリンダー室１３内に摺動自在に装着されている。ピストン１４はその先端にピストン先端面１４ａが形成され、ピストン先端面１４ａには噴射溝１４ｂが形成され、ピストン１４の後部には後方に延びるピストンロッド１４ｃが連結されている。後方に延びるピストンロッド１４ｃの先端側はシリンダー室１３の後端側となる外筒１１の他端側１１ｂの固定盤１７を貫通して外部に突出している。シリンダー室１３内で摺動するピストンロッド１４ｃの中間部分の側周面の一部にはその長さ方向にガイド溝１４ｄが形成されている。
【００２８】
ピストン１４の先端となるピストン先端面１４ａは平坦面に形成され、その一部には噴射溝１４ｂが形成されている。噴射溝１４ｂはピストン先端面１４ａの中央部位から所定の周縁に向けて形成されている。すなわちシリンダー室１３内に摺動自在に装着されたピストン１４のピストン先端面１４ａに形成された噴射溝１４ｂが噴出口１１ｄの内側に位置するように装着される。噴射溝１４ｂはピストン１４の摺動時、噴出口１１ｄの長さ方向に沿って前後方向移動する。
【００２９】
ピストン１４は噴出口１１ｄの長さ方向の開口面積を可変にするようにシリンダー室１３内に摺動自在に装着される。即ち、異物排除時にはピストン１４はシリンダー室１３内の先端側１３ａから後方側に向けて移動されて噴出口１１ｄの開口面積を最大にし、噴射時にはピストン１４は後記のバネ１６によってシリンダー室１３の先端側１３ａ側に移動し、そのピストン先端面１４ａの周縁側が環状平坦面の前記ストッパー面１１ｃに当接して噴出口１１ｄの開口面積を最小の噴射溝１４ｂと同一のサイズの噴射口１５にする。
【００３０】
噴射溝１４ｂはピストン先端面１４ａの中央から図面では下側の外周縁側に向けて形成され、例えば中央部分の上側は円弧状に形成されその両側の溝幅は下側の外周縁側に向けて例えば３０度の角度で両側に拡開している。
【００３１】
また、噴射溝１４ｂの溝深さは例えば3mmであり、この溝深さが噴射時の噴出口１１ｄの最小開口面積となる。即ち、噴射時には噴射溝１４ｂが形成されたピストン先端面１４ａはその周縁側が環状平坦面の前記ストッパー面１１ｃに当接して、外筒１１の導水路１２内を圧送された圧力洗浄水は噴出口１１ｄを経てこれより狭い溝深さの噴射溝１４ｂの噴射口１５から勢いよく噴射されるのである。
【００３２】
バネ１６はピストン１４をシリンダー室１３の先端側１３ａに向けて常時付勢して、噴出口１１ｄの開口断面を最小にする機能を果たすもので、例えばコイルバネが使用されている。バネ１６は、ピストン１４の後部側のシリンダー室１３のピストンロッド１４ｃの外周の環状空間部分に螺旋状に挿入されている。
【００３３】
バネ１６はピストン１４をシリンダー室１３の先端側１３ａに向けて常時付勢するが、本願発明は導水路１２内に異物が詰まって導水路１２内の送水圧が上昇した場合にはその上昇圧によってピストン１４をバネ１６のバネ圧力にうち勝ってバネ１６側に移動させるものである。
【００３４】
このため、バネ１６は、通常の噴射時にはピストン先端面１４ａに作用する水圧に勝ってピストン１４のピストン先端面１４ａをストッパー面１１ｃに押し付けるだけのバネ強さ（バネ係数）が要求される。その一方で、バネ１６は、導水路１２内に異物が目詰まりして送水圧が上昇した場合にはピストン先端面１４ａに作用する上昇水圧に負けてピストン１４のピストン先端面１４ａをストッパー面１１ｃに押し付けていたピストン１４が後退できるバネ強さ（バネ係数）が要求される。
【００３５】
ピストン先端面１４ａに作用する通常時の水圧をＰ１、ピストン先端面１４ａに作用する異常時の上昇水圧をＰ２、バネ１６のバネ強さ（バネ係数）をＫとすると、バネ１６はそのバネ強さ（バネ係数）は、Ｐ１＜Ｋ＜Ｐ２の範囲にある。つまり、使用されるバネ１６のバネ強さ（バネ係数）は、ピストン１４のピストン先端面１４ａに作用する通常時の水圧以上の強さがあってしかも異常時の上昇水圧以下の強さであることが要求される。
【００３６】
送水管ａの側周面に接続される外筒１１の一端側１１ａの円筒形外周には螺旋状にネジ山が刻設された雄ネジ１１ｅになっていて、この雄ネジ１１ｅの先端側は送水管ａの側周面に一部螺入されて接続されている。外筒１１の一端側１１ａの外周が雄ネジ１１ｅになっているために、送水管ａの側周面に簡単に螺入接続することができる。
【００３７】
また、ピストンロッド１４ｃ及びバネ１６が挿入される側のシリンダー室１３の側周面には空気出入孔１１ｆが形成されている。空気出入孔１１ｆは、ピストン１４が前後に摺動しながら移動する場合に、ピストン１４の後部側のシリンダー室１３内が密封されて内部の空気が摺動の抵抗にならないように、外部の大気と連通させるための孔である。
【００３８】
シリンダー室１３の後端側となる外筒１１の他端側１１ｂの開口部分には、バネ１６の後端を支持する固定盤１７が取り付けられている。固定盤１７は前半側が他端側１１ｂの開口部内に挿入された状態で取り付けられている。固定盤１７の前半側はシリンダー室１３の内径と略同一径の円形断面に形成され、後半側は外筒１１の外径と略同一の円形断面に形成されている。
【００３９】
固定盤１７の中央には円形の環状孔１７ａが形成されている。環状孔１７ａの直径はシリンダー室１３内に配置されているコイル状のバネ１６の直径より小さい孔で、コイル状のバネ１６がこの環状孔１７ａから外部に抜け出ることがないようになっている。この環状孔１７ａにはピストンロッド１４ｃが貫通して先端側が固定盤１７の外側に突出している。
【００４０】
固定盤１７はシリンダー室１３の後端側となる外筒１１の他端側１１ｂの開口部分に挿入されたその前半側の側周面には、外筒１１の他端側１１ｂの側周面を貫通した取付螺子１７ｂの先端側が螺入しており、この取付螺子１７ｂによって固定盤１７は外筒１１の他端側１１ｂつまりシリンダー室１３の後端側に固定的に取り付けられていて、固定盤１７はピストン１４を付勢するコイル状のバネ１６の後端を支持する構造になっている。固定盤１７を固定する取付螺子１７ｂの片方はその先端側がピストンロッド１４ｃの側周面に形成された前記のガイド溝１４ｄ内に係合されている。片方の取付螺子１７ｂの先端がガイド溝１４ｄ内に係合されることによりピストン１４は前後方向への摺動範囲が規制される。
【００４１】
固定盤１７の環状孔１７ａから突出するピストンロッド１４ｃの先端には手動用の把手１８が取り付けられている。把手１８は、手動で噴出口１１ｄの開口面積を広げるためにピストンロッド１４ｃを介してピストン１４を強制的に後退させる場合に手で掴まれる部分で、例えば円形リングが使用されている。例えば円形リングからなる把手１８は、ピストンロッド１４ｃの先端に形成された連結孔に前半部分が螺入して連結された連結具１８ａの後部の取付孔に遊貫状に通した状態で取り付けられている。
【００４２】
次に、上記発明の実施の形態の構成に基づく作用について以下説明する。
洗浄ノズル１は、図示しない例えばネット式除塵機に取り付けられて使用され、ネットで捕捉した塵芥を圧力洗浄水を噴射して所定の箇所に落下させて排除するために使用される。洗浄ノズル１に供給される圧力洗浄水はネット式除塵機が設置されている河川から水中ポンプ等を使用して吸水される。
【００４３】
洗浄ノズル１に吸水される際に、フィルターなどによって吸水中に含まれる粗い異物は排除されるが、吸水中に含まれる微小な異物はフィルターなどによっては排除されずに、吸水と共に送水管ａを圧送されて洗浄ノズル１を構成する外筒１１内部の導水路１２内を流水してその噴出口１１ｄを詰まらせることがある。
【００４４】
ところで、シリンダー室１３の先端側１３ａの側周面の一部に形成されている噴出口１１ｄは、通常はバネ１６に付勢されているピストン１４によってその内周側の大部分が覆われて最小開口面積になり、噴射溝１４ｂと同一サイズの噴射口１５となっており、外筒１１内の異物を排除することができない。
【００４５】
しかし、噴出口１１ｄに流水中の異物が目詰まりすると、噴出口１１ｄの開口面積が異物によってさらに小さくなるため、ピストン先端面１４ａの噴射溝１４ｂに作用する水圧が上昇する。そして、ピストン先端面１４ａに作用する上昇水圧力がピストン１４を常時付勢しているバネ１６の押し付け力より大きくなると、バネ１６の押し付け力に勝ってピストン１４を押し出してシリンダー室１３内を後端側に向けて移動させる。
【００４６】
ピストン１４がシリンダー室１３内を後退し始めると、噴出口１１ｄの開口面積も徐々に大きくなる。噴出口１１ｄの狭い隙間に詰まっていた異物は、噴出口１１ｄの開口面積が大きくなることにより、送水管ａから通じて圧送される圧力洗浄水の水圧によって、噴出口１１ｄの外側に押し出されて排出される。
【００４７】
噴出口１１ｄに詰まっていた異物が排出されると、外筒１１内の上昇していた水圧が低下し始める。そして、ピストン１４を付勢するバネ１６の付勢力がピストン先端面１４ａを押圧する低下し始めた水圧よりも相対的に高くなると、バネ１６の付勢力がピストン先端面１４ａを押圧する通常の水圧に勝ってピストン１４をシリンダー室１３の先端側１３ａに向けて押し付けて移動させる。シリンダー室１３の先端側１３ａに向けて移動したピストン１４は、ピストン先端面１４ａの周縁側が先端側１３ａの内周側に形成されたストッパー面１１ｃに当たることにより係止される。
【００４８】
ピストン１４がストッパー面１１ｃによって係止されると、噴出口１１ｄの内周側の大部分は再びピストン１４の側周面の一部によって覆われて、その開口面積は最小となる。ストッパー面１１ｃに当接したピストン先端面１４ａに形成された噴射溝１４ｂはストッパー面１１ｃと共に最小の開口面積となる噴射口１５を形成し、最小開口面積となった噴射口１５から勢いよく噴射された圧力洗浄水は、ネットに捕捉された塵芥を落下させて洗い流す。
【００４９】
再び目詰まりが生じた場合には上記の動作を繰り返して、洗浄ノズル１の目詰まりは上昇水圧を利用して自動的に排除されて解消されることになる。
【００５０】
洗浄ノズル１の目詰まりは上記の自動的な排除以外に、手動による操作によって任意に排除することも可能である。
【００５１】
洗浄ノズル１の導水路１２内に流入した異物によって洗浄ノズル１が詰まった場合には、外筒１１の他端側１１ｂから外部に突出したピストンロッド１４ｃの先端に取り付けられた把手１８を掴んで引っ張ってピストンロッド１４ｃの先端側を外筒１１の他端側１１ｂから外部側に引き出して移動させる。
【００５２】
このとき、ピストンロッド１４ｃが後部に連結されたピストン１４はバネ１６によって常時、シリンダー室１３の先端側１３ａに向けて付勢されているので、バネ１６の付勢力に打ち勝ってピストン１４が連結されたピストンロッド１４ｃを外筒１１の他端側１１ｂの外側に向けて強制的に引っ張る。
【００５３】
ピストンロッド１４ｃが外筒１１の他端側１１ｂに向けて引っ張られて移動すると、ピストンロッド１４ｃの連結されたピストン１４も一体となって連動して外筒１１の他端側１１ｂつまりシリンダー室１３の後端側に向けて移動する。
【００５４】
ピストン１４がシリンダー室１３の他端側に向けて移動すると、噴出口１１ｄの開口面積も徐々に大きくなる。噴出口１１ｄの狭い隙間に詰まっていた異物は、噴出口１１ｄの開口面積が大きくなることにより、送水管ａから通じて圧送される圧力洗浄水の水圧によって、噴出口１１ｄの外側に押し出されて排出される。
【００５５】
外筒１１の内部に詰まっている異物が排出されると、バネ１６の付勢力に打ち勝って強制的に外筒１１の他端側１１ｂの固定盤１７の外部側に引っ張り出していたピストンロッド１４ｃの先端の把手１８を掴んでいた手を離すと、ピストン１４及びピストンロッド１４ｃはバネ１６の付勢力によってシリンダー室１３の先端側１３ａに向けて移動する。そして、ピストン１４のピストン先端面１４ａの周縁側がシリンダー室１３の先端側１３ａの環状内周側に形成されたストッパー面１１ｃに当接することによって、ピストン１４は係止される。
【００５６】
ピストン１４がストッパー面１１ｃによって係止されると、噴出口１１ｄの内周側の大部分は再びピストン１４の側周面によって覆われて、その開口面積は最小となる。ストッパー面１１ｃに当接したピストン先端面１４ａに形成された噴射溝１４ｂはストッパー面１１ｃと共に最小の開口面積となる噴射口１５を形成し、最小開口面積となった噴射口１５から勢いよく噴射された圧力洗浄水は、ネットに捕捉された塵芥を落下させて洗い流す。
【００５７】
〔最良の形態−２〕
ここで、図４（Ａ）は噴射時の洗浄ノズルの側断面図、図４（Ｂ）は図４（Ａ）のＢ−Ｂ矢視図、図４（Ｃ）は図４（Ａ）のＣ−Ｃ矢視図、図５は異物排除時の洗浄ノズルの側断面図、図６（Ａ）は外筒の側断面図、図６（Ｂ）はピストン及びピストンロッドの側断面図、図６（Ｃ）はバネの側断面図、図６（Ｄ）は固定盤の側断面図、図６（Ｅ）は把手の側面図である。
【００５８】
図４〜図６において、洗浄ノズル２は、図示しない例えばネット式除塵機に取り付けられて使用され、ネットで捕捉した塵芥を圧力洗浄水を噴射して所定の箇所に落下させて排除するために使用されるもので、外筒２１、外筒２１の内部のシリンダー室２３内に摺動自在に装着されたピストン２４、ピストン２４をシリンダー室２３の先端側２３ａに向けて付勢するバネ２６、外筒２１の他端側２１ｂに取り付けられた固定盤２７などから主に構成されている。
【００５９】
外筒２１はその中空筒状内部が導水路２２と該導水路２２より直径が大なるシリンダー室２３とに連通状態で区分されている。導水路２２側の端部となる外筒２１の一端側２１ａとシリンダー室２３側の端部となる他端側２１ｂは、それぞれ開口されている。外筒２１はその外形が円筒形の形状に形成されている。
【００６０】
導水路２２は洗浄ノズル２から噴射される直前の洗浄水が圧送される通路で、内部断面は例えば円形の形状からなる。導水路２２はその一端側が流入口側２２ａ、他端側が流出口側２２ｂとなっている。導水路２２の流入口側２２ａは外筒２１の一端側２１ａになっていて、流入口側２２ａとなる外筒２１の一端側２１ａは圧力洗浄水が圧送される送水管ａの側周面に開口接続されている。
【００６１】
送水管ａを通じて送水された圧力洗浄水は外筒２１の一端側２１ａとなる導水路２２の流入口側２２ａから導水路２２内に圧送され、ピストン先端面２４ａからシリンダー室２３の側周面のピストン２４の付勢によって最小面積になっている噴出口２１ｄを経て一部の噴出口２１ｄと一部のピストン先端面２４ａとによって形成される噴射口２５から噴射される構造になっている。
【００６２】
シリンダー室２３は、前記の導水路２２よりその直径が大きい例えば円形断面の形状から形成されており、導水路２２の流出口側２２ｂとの境界側となるシリンダー室２３の先端側２３ａはその内径が段差状に大きくなっている。境界側となる導水路２２の流出口側２２ｂとシリンダー室２３の先端側２３ａとは連通状態になっている。
【００６３】
この段差状に大きくなったシリンダー室２３の先端側２３ａの環状内周側には一部を除いてシリンダー室２３の内周面に対して直交する段差部分環状面になるストッパー面２１ｃが形成されている。つまりストッパー面２１ｃはシリンダー室２３の切断面に平行に形成されている。またストッパー面２１ｃは、その下部側に噴出口２１ｄの一部が形成されていて、完全な環状になっていなくて、つまり噴出口２１ｄが形成された部分が開口された一部開口型の不完全な部分環状面に形成されている。ストッパー面２１ｃは導水路２２の流出口側２２ｂの端部の円周縁に沿って部分円環状に形成されていて、その面は環状平坦面に形成されている。ストッパー面２１ｃは先端側に向けて付勢されるピストン２４のピストン先端面２４ａの周縁側が当接されてピストン２４を係止する機能を果たす。
【００６４】
導水路２２の流出口側２２ｂとシリンダー室２３の先端側２３ａとの側周面の一部には噴出口２１ｄが形成されている。噴出口２１ｄは導水路２２の流出口側２２ｂの一部とシリンダー室２３の先端側２３ａの一部との間に連接状態で形成されている。そして、後記するように、導水路２２の流出口側２２ｂの側周面の一部に形成された噴出口２１ｄの部分が通常噴射時の噴射口２５となる。噴出口２１ｄは噴射口２５から噴射される直前の圧力洗浄水が通過する開口孔で、この噴出口２１ｄを通過した圧力洗浄水はこれより狭い噴射口２５から外部に勢いよく噴射される。
【００６５】
また、この噴出口２１ｄは、外筒２１の内部に異物が詰まった場合に、その異物を排除するための取出口としても使用される。このため、噴出口２１ｄは外筒２１の内部に詰まった異物が簡単に取り出せる程度の大きさの開口孔に形成されている。噴出口２１ｄはその長さが例えば全長で10mmあり、このうち、導水路２２側の長さは３mmであり、シリンダー室２３側の長さは７mmである。つまり、噴出口２１ｄは導水路２２側の長さが短く、シリンダー室２３側の長さが長くなっており、長さの短い導水路２２側に形成された部分が通常時の噴射口２５となる。
【００６６】
ピストン２４は、噴射口２５から圧力洗浄水を噴射するために前記噴出口２１ｄを噴射時の最小開口面積にし、又洗浄ノズル２の目詰まり時に外筒２１の導水路２２内に詰まった異物を除去するために噴出口２１ｄを異物排除時の最大開口面積とに可変するものである。
【００６７】
ピストン２４は円柱状の形状を有し、ピストン２４の円形の外径はシリンダー室２３の内径と略同一で、シリンダー室２３内に摺動自在に装着されている。ピストン２４はその先端に平坦面からなるピストン先端面２４ａが形成され、ピストン２４の後部には後方に延びるピストンロッド２４ｂが連結されている。後方に延びるピストンロッド２４ｂの先端側はシリンダー室２３の後端側となる外筒２１の他端側２１ｂの固定盤２７を貫通して外部に突出している。
【００６８】
ピストン２４は噴出口２１ｄの長さ方向の開口面積を可変にするようにシリンダー室２３内に摺動自在に装着される。即ち、異物排除時にはピストン２４はシリンダー室２３内の先端側２３ａから後方側に向けて移動されて噴出口２１ｄの開口面積を最大にし、噴射時にはピストン２４は後記のバネ２６によってシリンダー室２３の先端側２３ａ側に移動し、そのピストン先端面２４ａの周縁側が環状平坦面の前記ストッパー面２１ｃに当接して噴出口２１ｄの開口面積を最小サイズの噴射口２５にする。
【００６９】
バネ２６はピストン２４をシリンダー室２３の先端側２３ａに向けて常時付勢して、噴出口２１ｄの開口断面を最小にする機能を果たすもので、例えばコイルバネが使用されている。バネ２６は、ピストン２４の後部側のシリンダー室２３のピストンロッド２４ｂの外周の環状空間部分に螺旋状に挿入されている。
【００７０】
バネ２６はピストン２４をシリンダー室２３の先端側２３ａに向けて常時付勢するが、本願発明は導水路２２内に異物が詰まって導水路２２内の送水圧が上昇した場合にはその上昇圧によってピストン２４をバネ２６のバネ圧力にうち勝ってバネ２６側に移動させるものである。
【００７１】
このため、バネ２６は、通常の噴射時にはピストン先端面２４ａに作用する水圧に勝ってピストン２４のピストン先端面２４ａをストッパー面２１ｃに押し付けるだけのバネ強さ（バネ係数）が要求される。その一方で、バネ２６は、導水路２２内に異物が目詰まりして送水圧が上昇した場合にはピストン先端面２４ａに作用する上昇水圧に負けてピストン２４のピストン先端面２４ａをストッパー面２１ｃに押し付けていたピストン２４が後退できるバネ強さ（バネ係数）が要求される。
【００７２】
ピストン先端面２４ａに作用する通常時の水圧をＰ１、ピストン先端面２４ａに作用する異常時の上昇水圧をＰ２、バネ２６のバネ強さ（バネ係数）をＫとすると、バネ２６はそのバネ強さ（バネ係数）は、Ｐ１＜Ｋ＜Ｐ２の範囲にある。つまり、使用されるバネ２６のバネ強さ（バネ係数）は、ピストン２４のピストン先端面２４ａに作用する通常時の水圧以上の強さがあってしかも異常時の上昇水圧以下の強さであることが要求される。
【００７３】
送水管ａの側周面に接続される外筒２１の一端側２１ａの円筒形外周には螺旋状にネジ山が刻設された雄ネジ２１ｅになっていて、この雄ネジ２１ｅの先端側は送水管ａの側周面に一部螺入されて接続されている。外筒２１の一端側２１ａの外周が雄ネジ２１ｅになっているために、送水管ａの側周面に簡単に螺入接続することができる。
【００７４】
また、ピストンロッド２４ｂ及びバネ２６が挿入される側のシリンダー室２３の側周面には空気出入孔２１ｆが形成されている。空気出入孔２１ｆは、ピストン２４が前後に摺動しながら移動する場合に、ピストン２４の後部側のシリンダー室２３内が密封されて内部の空気が摺動の抵抗にならないように、外部の大気と連通させるための孔である。
【００７５】
シリンダー室２３の後端側となる外筒２１の他端側２１ｂの開口部分には、バネ２６の後端を支持する固定盤２７が取り付けられている。固定盤２７は前半側が他端側２１ｂの開口部内に挿入された状態で取り付けられている。固定盤２７の前半側はシリンダー室２３の内径と略同一径の円形断面に形成され、後半側は外筒２１の外径と略同一の円形断面に形成されている。
【００７６】
固定盤２７の中央には円形の環状孔２７ａが形成されている。環状孔２７ａの直径はシリンダー室２３内に配置されているコイル状のバネ２６の直径より小さい孔で、コイル状のバネ２６がこの環状孔２７ａから外部に抜け出ることがないようになっている。この環状孔２７ａにはピストンロッド２４ｂが貫通して先端側が固定盤２７の外側に突出している。
【００７７】
固定盤２７はシリンダー室２３の後端側となる外筒２１の他端側２１ｂの開口部分に挿入されたその前半側の側周面には、外筒２１の他端側２１ｂの側周面を貫通した取付螺子２７ｂの先端側が螺入しており、この取付螺子２７ｂによって固定盤２７は外筒２１の他端側２１ｂつまりシリンダー室２３の後端側に固定的に取り付けられていて、固定盤２７はピストン２４を付勢するコイル状のバネ２６の後端を支持する構造になっている。
【００７８】
固定盤２７の環状孔２７ａから突出するピストンロッド２４ｂの先端には手動用の把手２８が取り付けられている。把手２８は、手動で噴出口２１ｄの開口面積を広げるためにピストンロッド２４ｂを介してピストン２４を強制的に後退させる場合に手で掴まれる部分で、例えば円形リングが使用されている。例えば円形リングからなる把手２８は、ピストンロッド２４ｂの先端に形成された連結孔に前半部分が螺入して連結された連結具２８ａの後部の取付孔に遊貫状に通した状態で取り付けられている。
【００７９】
次に、上記発明の実施の形態の構成に基づく作用について以下説明する。
洗浄ノズル２は、図示しない例えばネット式除塵機に取り付けられて使用され、ネットで捕捉した塵芥を圧力洗浄水を噴射して所定の箇所に落下させて排除するために使用される。洗浄ノズル２に供給される圧力洗浄水はネット式除塵機が設置されている河川から水中ポンプ等を使用して吸水される。
【００８０】
洗浄ノズル２に吸水される際に、フィルターなどによって吸水中に含まれる粗い異物は排除されるが、吸水中に含まれる微小な異物はフィルターなどによっては排除されずに、吸水と共に送水管ａを圧送されて洗浄ノズル２を構成する外筒２１内部の導水路２２内を流水してその噴出口２１ｄを詰まらせることがある。
【００８１】
ところで、シリンダー室２３の先端側２３ａの側周面の一部に形成されている噴出口２１ｄは、通常はバネ２６に付勢されているピストン２４によってその内周側の大部分が覆われて最小開口面積になり、同一サイズの噴射口２５となっており、外筒２１内の異物を排除することができない。
【００８２】
しかし、噴出口２１ｄに流水中の異物が目詰まりすると、噴出口２１ｄの開口面積が異物によってさらに小さくなるため、ピストン先端面２４ａに作用する水圧が上昇する。そして、ピストン先端面２４ａに作用する上昇水圧力がピストン２４を常時付勢しているバネ２６の押し付け力より大きくなると、バネ２６の押し付け力に勝ってピストン２４を押し出してシリンダー室２３内を後端側に向けて移動させる。
【００８３】
ピストン２４がシリンダー室２３内を後退し始めると、噴出口２１ｄの開口面積も徐々に大きくなる。噴出口２１ｄの狭い隙間に詰まっていた異物は、噴出口２１ｄの開口面積が大きくなることにより、送水管ａから通じて圧送される圧力洗浄水の水圧によって、噴出口２１ｄの外側に押し出されて排出される。
【００８４】
噴出口２１ｄに詰まっていた異物が排出されると、外筒２１内の上昇していた水圧が低下し始める。そして、ピストン２４を付勢するバネ２６の付勢力がピストン先端面２４ａを押圧する低下し始めた水圧よりも相対的に高くなると、バネ２６の付勢力がピストン先端面２４ａを押圧する通常の水圧に勝ってピストン２４をシリンダー室２３の先端側２３ａに向けて押し付けて移動させる。シリンダー室２３の先端側２３ａに向けて移動したピストン２４は、ピストン先端面２４ａの周縁側が先端側２３ａの内周側に形成されたストッパー面２１ｃに当たることにより係止される。
【００８５】
ピストン２４がストッパー面２１ｃによって係止されると、噴出口２１ｄの内周側の大部分は再びピストン２４の側周面の一部によって覆われて、その開口面積は最小となる。ピストン先端面２４ａは導水路２２の流出口側２２ｂに形成された噴出口２１ｄと共に最小の開口面積となる噴射口２５を形成し、最小開口面積となった噴射口２５から勢いよく噴射された圧力洗浄水は、ネットに捕捉された塵芥を落下させて洗い流す。
【００８６】
再び目詰まりが生じた場合には上記の動作を繰り返して、洗浄ノズル２の目詰まりは上昇水圧を利用して自動的に排除されて解消されることになる。
【００８７】
洗浄ノズル２の目詰まりは上記の自動的な排除以外に、手動による操作によって任意に排除することも可能である。
【００８８】
洗浄ノズル２の導水路２２内に流入した異物によって洗浄ノズル２が詰まった場合には、外筒２１の他端側２１ｂから外部に突出したピストンロッド２４ｂの先端に取り付けられた把手２８を掴んで引っ張ってピストンロッド２４ｂの先端側を外筒２１の他端側２１ｂから外部側に引き出して移動させる。
【００８９】
このとき、ピストンロッド２４ｂが後部に連結されたピストン２４はバネ２６によって常時、シリンダー室２３の先端側２３ａに向けて付勢されているので、バネ２６の付勢力に打ち勝ってピストン２４が連結されたピストンロッド２４ｂを外筒２１の他端側２１ｂの外側に向けて強制的に引っ張る。
【００９０】
ピストンロッド２４ｂが外筒２１の他端側２１ｂに向けて引っ張られて移動すると、ピストンロッド２４ｂの連結されたピストン２４も一体となって連動して外筒２１の他端側２１ｂつまりシリンダー室２３の後端側に向けて移動する。
【００９１】
ピストン２４がシリンダー室２３の他端側に向けて移動すると、噴出口２１ｄの開口面積も徐々に大きくなる。噴出口２１ｄの狭い隙間に詰まっていた異物は、噴出口２１ｄの開口面積が大きくなることにより、送水管ａから通じて圧送される圧力洗浄水の水圧によって、噴出口２１ｄの外側に押し出されて排出される。
【００９２】
外筒２１の内部に詰まっている異物が排出されると、バネ２６の付勢力に打ち勝って強制的に外筒２１の他端側２１ｂの固定盤２７の外部側に引っ張り出していたピストンロッド２４ｂの先端の把手２８を掴んでいた手を離すと、ピストン２４及びピストンロッド２４ｂはバネ２６の付勢力によってシリンダー室２３の先端側２３ａに向けて移動する。そして、ピストン２４のピストン先端面２４ａの周縁側がシリンダー室２３の先端側２３ａの環状内周側に形成されたストッパー面２１ｃに当接することによって、ピストン２４は係止される。
【００９３】
ピストン２４がストッパー面２１ｃによって係止されると、噴出口２１ｄの内周側の大部分は再びピストン２４の側周面によって覆われて、その開口面積は最小となる。ピストン先端面２４ａは導水路２２の流出口側２２ｂに形成された噴出口２１ｄと共に最小の開口面積となる噴射口２５を形成し、最小開口面積となった噴射口２５から勢いよく噴射された圧力洗浄水は、ネットに捕捉された塵芥を落下させて洗い流す。
【００９４】
〔最良の形態−３〕
ここで、図７（Ａ）は噴射時の洗浄ノズルの側断面図、図７（Ｂ）は図７（Ａ）のＢ−Ｂ矢視図、図７（Ｃ）は図７（Ａ）のＣ−Ｃ矢視図、図８は異物排除時の洗浄ノズルの側断面図、図９（Ａ）は外筒の側断面図、図９（Ｂ）はピストン及びピストンロッドの側断面図、図９（Ｃ）はバネの側断面図、図９（Ｄ）は固定盤の側断面図、図９（Ｅ）は開口幅調整環状盤の側断面図、図３（９）は把手の側面図である。
【００９５】
図７〜図９において、洗浄ノズル３は、図示しない例えばネット式除塵機に取り付けられて使用され、ネットで捕捉した塵芥を圧力洗浄水を噴射して所定の箇所に落下させて排除するために使用されるもので、外筒３１、外筒３１の内部のシリンダー室３３内に摺動自在に装着されたピストン３４、ピストン３４をシリンダー室３３の先端側３３ａに向けて付勢するバネ３６、外筒３１の他端側３１ｂに取り付けられた固定盤３７、ピストンロッド３４ｂの突出する先端側に螺合された開口幅調整環状盤３９などから主に構成されている。
【００９６】
外筒３１はその中空筒状内部が導水路３２と該導水路３２より直径が大なるシリンダー室３３とに連通状態で区分されている。導水路３２側の端部となる外筒３１の一端側３１ａとシリンダー室３３側の端部となる他端側３１ｂは、それぞれ開口されている。外筒３１はその外形が円筒形の形状に形成されている。
【００９７】
導水路３２は洗浄ノズル３から噴射される直前の洗浄水が圧送される通路で、内部断面は例えば円形の形状からなる。導水路３２はその一端側が流入口側３２ａ、他端側が流出口側３２ｂとなっている。導水路３２の流入口側３２ａは外筒３１の一端側３１ａになっていて、流入口側３２ａとなる外筒３１の一端側３１ａは圧力洗浄水が圧送される送水管ａの側周面に開口接続されている。
【００９８】
送水管ａを通じて送水された圧力洗浄水は外筒３１の一端側３１ａとなる導水路３２の流入口側３２ａから導水路３２内に圧送され、ピストン先端面３４ａからシリンダー室３３の側周面のピストン３４の付勢によって最小面積になっている噴出口３１ｄを経て、前面が一部の段差環状面３１ｃで形成され、後面が一部のピストン先端面３４ａで形成され、左右幅が一部の噴出口３１ｄの左右幅で形成される噴射口３５から噴射される構造になっている。
【００９９】
シリンダー室３３は、前記の導水路３２よりその直径が大きい例えば円形断面の形状から形成されており、導水路３２の流出口側３２ｂとの境界側となるシリンダー室３３の先端側３３ａはその内径が段差状に大きくなっている。境界側となる導水路３２の流出口側３２ｂとシリンダー室３３の先端側３３ａとは連通状態になっている。
【０１００】
この段差状に大きくなったシリンダー室３３の先端側３３ａの環状内周側にはシリンダー室３３の内周面に対して直交する段差環状面３１ｃが形成されている。つまり段差環状面３１ｃはシリンダー室３３の切断面に平行に形成されている。段差環状面３１ｃは導水路３２の流出口側３２ｂの端部の円周縁に沿って円環状に形成されていて、その面は環状平坦面に形成されている。
【０１０１】
この段差環状面３１ｃは、ピストン先端面３４ａの一部及び噴出口３１ｄの一部の左右幅と協動して噴射口３５を形成する。例えば噴射口３５が四辺からなる方形状の場合、段差環状面３１ｃの一部が前面を形成し、ピストン先端面３４ａの一部が後面を形成し、左右幅を噴出口３１ｄの一部が形成する。
【０１０２】
導水路３２の流出口側３２ｂとの境界側に接するシリンダー室３３の先端側３３ａの側周面の一部には噴出口３１ｄが形成されている。噴出口３１ｄは噴射口３５から噴射される直前の圧力洗浄水が通過する開口孔で、この噴出口３１ｄを通過した圧力洗浄水はこれより狭い噴射口３５から外部に勢いよく噴射される。
【０１０３】
また、この噴出口３１ｄは、外筒３１の内部に異物が詰まった場合に、その異物を排除するための取出口としても使用される。このため、噴出口３１ｄは外筒３１の内部に詰まった異物が簡単に取り出せる程度の大きさの開口孔に形成されている。噴出口３１ｄはその長さが例えば10mmである。
【０１０４】
ピストン３４は、噴射口３５から圧力洗浄水を噴射するために前記噴出口３１ｄを噴射時の最小開口面積にし、又洗浄ノズル３の目詰まり時に外筒３１の導水路３２内に詰まった異物を除去するために噴出口３１ｄを異物排除時の最大開口面積とに可変するものである。
【０１０５】
ピストン３４は円柱状の形状を有し、ピストン３４の円形の外径はシリンダー室３３の内径と略同一で、シリンダー室３３内に摺動自在に装着されている。ピストン３４はその先端に平坦面からなるピストン先端面３４ａが形成され、ピストン３４の後部には後方に延びるピストンロッド３４ｂが連結されている。
【０１０６】
後方に延びるピストンロッド３４ｂの先端側はシリンダー室３３の後端側となる外筒３１の他端側３１ｂの固定盤３７を貫通して外部に突出している。固定盤３７を貫通して外部に突出したピストンロッド３４ｂの先端側の円形側周面には開口幅調整環状盤３９が調節自在に螺合されるために螺子状のネジ山が刻設された雄ネジ３４ｃになっている。
【０１０７】
ピストン３４は噴出口３１ｄの長さ方向の開口面積を可変にするようにシリンダー室３３内に摺動自在に装着される。即ち、異物排除時にはピストン３４はシリンダー室３３内の先端側３３ａから後方側に向けて移動されて噴出口３１ｄの開口面積を最大にし、噴射時にはピストン３４は後記のバネ３６によってシリンダー室３３の先端側３３ａ側に移動し、開口幅調整環状盤３９の前面が固定盤３７の後面に当接して噴出口３１ｄの開口面積を最小サイズの噴射口３５にする。
【０１０８】
バネ３６はピストン３４をシリンダー室３３の先端側３３ａに向けて常時付勢して、噴出口３１ｄの開口断面を最小にする機能を果たすもので、例えばコイルバネが使用されている。バネ３６は、ピストン３４の後部側のシリンダー室３３のピストンロッド３４ｂの外周の環状空間部分に螺旋状に挿入されている。
【０１０９】
バネ３６はピストン３４をシリンダー室３３の先端側３３ａに向けて常時付勢するが、本願発明は導水路３２内に異物が詰まって導水路３２内の送水圧が上昇した場合にはその上昇圧によってピストン３４をバネ３６のバネ圧力にうち勝ってバネ３６側に移動させるものである。
【０１１０】
このため、バネ３６は、通常の噴射時にはピストン先端面３４ａに作用する水圧に勝ってピストン３４の後部に連結されたピストンロッド３４ｂの先端側の雄ネジ３４ｃに螺合された開口幅調整環状盤３９の前面を固定盤３７の後面に押し付けるだけのバネ強さ（バネ係数）が要求される。その一方で、バネ３６は、導水路３２内に異物が目詰まりして送水圧が上昇した場合にはピストン先端面３４ａに作用する上昇水圧に負けてピストン３４に連結されたピストンロッド３４ｂの先端側に螺合されていた開口幅調整環状盤３９の前面を固定盤３７の後面に押し付けていたピストン３４が後退できるバネ強さ（バネ係数）が要求される。
【０１１１】
ピストン先端面３４ａに作用する通常時の水圧をＰ１、ピストン先端面３４ａに作用する異常時の上昇水圧をＰ２、バネ３６のバネ強さ（バネ係数）をＫとすると、バネ３６はそのバネ強さ（バネ係数）は、Ｐ１＜Ｋ＜Ｐ２の範囲にある。つまり、使用されるバネ３６のバネ強さ（バネ係数）は、ピストン３４のピストン先端面３４ａに作用する通常時の水圧以上の強さがあってしかも異常時の上昇水圧以下の強さであることが要求される。
【０１１２】
送水管ａの側周面に接続される外筒３１の一端側３１ａの円筒形外周には螺旋状にネジ山が刻設された雄ネジ３１ｅになっていて、この雄ネジ３１ｅの先端側は送水管ａの側周面に一部螺入されて接続されている。外筒３１の一端側３１ａの外周が雄ネジ３１ｅになっているために、送水管ａの側周面に簡単に螺入接続することができる。
【０１１３】
また、ピストンロッド３４ｂ及びバネ３６が挿入される側のシリンダー室３３の側周面には空気出入孔３１ｆが形成されている。空気出入孔３１ｆは、ピストン３４が前後に摺動しながら移動する場合に、ピストン３４の後部側のシリンダー室３３内が密封されて内部の空気が摺動の抵抗にならないように、外部の大気と連通させるための孔である。
【０１１４】
シリンダー室３３の後端側となる外筒３１の他端側３１ｂの開口部分には、バネ３６の後端を支持する固定盤３７が取り付けられている。固定盤３７は前半側が他端側３１ｂの開口部内に挿入された状態で取り付けられている。固定盤３７の前半側はシリンダー室３３の内径と略同一径の円形断面に形成され、後半側は外筒３１の外径と略同一の円形断面に形成されている。
【０１１５】
固定盤３７の中央には円形の環状孔３７ａが形成されている。環状孔３７ａの直径はシリンダー室３３内に配置されているコイル状のバネ３６の直径より小さい孔で、コイル状のバネ３６がこの環状孔３７ａから外部に抜け出ることがないようになっている。この環状孔３７ａにはピストンロッド３４ｂが貫通して先端側が固定盤３７の外側に突出している。
【０１１６】
固定盤３７はシリンダー室３３の後端側となる外筒３１の他端側３１ｂの開口部分に挿入されたその前半側の側周面には、外筒３１の他端側３１ｂの側周面を貫通した取付螺子３７ｂの先端側が螺入しており、この取付螺子３７ｂによって固定盤３７は外筒３１の他端側３１ｂつまりシリンダー室３３の後端側に固定的に取り付けられていて、固定盤３７はピストン３４を付勢するコイル状のバネ３６の後端を支持する構造になっている。
【０１１７】
固定盤３７の環状孔３７ａから突出するピストンロッド３４ｂの先端には手動用の把手３８が取り付けられている。把手３８は、手動で噴出口３１ｄの開口面積を広げるためにピストンロッド３４ｂを介してピストン３４を強制的に後退させる場合に手で掴まれる部分で、例えば円形リングが使用されている。例えば円形リングからなる把手３８は、ピストンロッド３４ｂの先端に形成された連結孔に前半部分が螺入して連結された連結具３８ａの後部の取付孔に遊貫状に通した状態で取り付けられている。
【０１１８】
開口幅調整環状盤３９は、段差環状面３１ｃに対してピストン先端面３４ａの隙間の調節して、噴出口３１ｄの開口面積を所望の最小面積の位置で、バネ１６で付勢されるピストン３４をピストンロッド３４ｂ及び固定盤３７を介して係止する機能を果たす。
【０１１９】
即ち、固定盤３７の環状孔３７ａを貫通するピストンロッド３４ｂの先端側の雄ネジ３４ｃに螺合された開口幅調整環状盤３９の前面が固定盤３７の後面に当接することで、バネ１６によってシリンダー室３３の先端側３３ａに向けて常時付勢されているピストン３４は、段差環状面３１ｃに対してピストン先端面３４ａが所望の隙間をあけて係止される。
【０１２０】
開口幅調整環状盤３９は、その中央に円形の雌ネジ３９ａが形成されている。雌ネジ３９ａの内周面にはピストンロッド３４ｂの先端側の雄ネジ３４ｃと螺合する雌ネジ山が刻設されている。開口幅調整環状盤３９はピストンロッド３４ｂの先端側の雄ネジ３４ｃと雌雄係合しながらピストンロッド３４ｂの前後方向に調節自在となっている。開口幅調整環状盤３９には例えばナットが使用される。
【０１２１】
ピストンロッド３４ｂの先端側の雄ネジ３４ｃに螺合された開口幅調整環状盤３９をピストン３４に近づく方向に移動させると、ピストン先端面３４ａは段差環状面３１ｃから離れる方向に移動して噴出口３１ｄの最小開口面積を大きくする方向に調節されることになる。
【０１２２】
反対に、ピストンロッド３４ｂの先端側の雄ネジ３４ｃに螺合された開口幅調整環状盤３９をピストン３４から離れる方向に移動させると、ピストン先端面３４ａは段差環状面３１ｃに近づく方向に移動して噴出口３１ｄの最小開口面積を小さくする方向に調節されることになる。
【０１２３】
次に、上記発明の実施の形態の構成に基づく作用について以下説明する。
洗浄ノズル３は、図示しない例えばネット式除塵機に取り付けられて使用され、ネットで捕捉した塵芥を圧力洗浄水を噴射して所定の箇所に落下させて排除するために使用される。洗浄ノズル３に供給される圧力洗浄水はネット式除塵機が設置されている河川から水中ポンプ等を使用して吸水される。
【０１２４】
洗浄ノズル３に吸水される際に、フィルターなどによって吸水中に含まれる粗い異物は排除されるが、吸水中に含まれる微小な異物はフィルターなどによっては排除されずに、吸水と共に送水管ａを圧送されて洗浄ノズル３を構成する外筒３１内部の導水路３２内を流水してその噴出口３１ｄを詰まらせることがある。
【０１２５】
ところで、シリンダー室３３の先端側３３ａの側周面の一部に形成されている噴出口３１ｄは、通常はバネ３６に付勢されているピストン３４によってその内周側の大部分が覆われて最小開口面積になり、同一サイズの噴射口３５となっており、外筒３１内の異物を排除することができない。
【０１２６】
しかし、噴出口３１ｄに流水中の異物が目詰まりすると、噴出口３１ｄの開口面積が異物によってさらに小さくなるため、ピストン先端面３４ａに作用する水圧が上昇する。そして、ピストン先端面３４ａに作用する上昇水圧力がピストン３４を常時付勢しているバネ３６の押し付け力より大きくなると、バネ３６の押し付け力に勝ってピストン３４を押し出してシリンダー室３３内を後端側に向けて移動させる。
【０１２７】
ピストン３４がシリンダー室３３内を後退し始めると、噴出口３１ｄの開口面積も徐々に大きくなる。噴出口３１ｄの狭い隙間に詰まっていた異物は、噴出口３１ｄの開口面積が大きくなることにより、送水管ａから通じて圧送される圧力洗浄水の水圧によって、噴出口３１ｄの外側に押し出されて排出される。
【０１２８】
噴出口３１ｄに詰まっていた異物が排出されると、外筒３１内の上昇していた水圧が低下し始める。そして、ピストン３４を付勢するバネ３６の付勢力がピストン先端面３４ａを押圧する低下し始めた水圧よりも相対的に高くなると、バネ３６の付勢力がピストン先端面３４ａを押圧する通常の水圧に勝ってピストン３４をシリンダー室３３の先端側３３ａに向けて押し付けて移動させる。シリンダー室３３の先端側３３ａに向けて移動したピストン３４は、ピストンロッド３４ｂの先端側の雄ネジ３４ｃに螺合された開口幅調整環状盤３９の前面が外筒３１の他端側３１ｂに取り付けられた固定盤３７の後面に当たることにより係止される。
【０１２９】
ピストン３４が開口幅調整環状盤３９によって係止されると、噴出口３１ｄの内周側の大部分は再びピストン３４の側周面の一部によって覆われて、その開口面積は最小となる。ピストン先端面３４ａは段差環状面３１ｃと共に最小の開口面積となる噴射口３５を形成し、最小開口面積となった噴射口３５から勢いよく噴射された圧力洗浄水は、ネットに捕捉された塵芥を落下させて洗い流す。
【０１３０】
再び目詰まりが生じた場合には上記の動作を繰り返して、洗浄ノズル３の目詰まりは上昇水圧を利用して自動的に排除されて解消されることになる。
【０１３１】
洗浄ノズル３の目詰まりは上記の自動的な排除以外に、手動による操作によって任意に排除することも可能である。
【０１３２】
洗浄ノズル３の導水路３２内に流入した異物によって洗浄ノズル３が詰まった場合には、外筒３１の他端側３１ｂから外部に突出したピストンロッド３４ｂの先端に取り付けられた把手３８を掴んで引っ張ってピストンロッド３４ｂの先端側を外筒３１の他端側３１ｂから外部側に引き出して移動させる。
【０１３３】
このとき、ピストンロッド３４ｂが後部に連結されたピストン３４はバネ３６によって常時、シリンダー室３３の先端側３３ａに向けて付勢されているので、バネ３６の付勢力に打ち勝ってピストン３４が連結されたピストンロッド３４ｂを外筒３１の他端側３１ｂの外側に向けて強制的に引っ張る。
【０１３４】
ピストンロッド３４ｂが外筒３１の他端側３１ｂに向けて引っ張られて移動すると、ピストンロッド３４ｂの連結されたピストン３４も一体となって連動して外筒３１の他端側３１ｂつまりシリンダー室３３の後端側に向けて移動する。
【０１３５】
ピストン３４がシリンダー室３３の他端側に向けて移動すると、噴出口３１ｄの開口面積も徐々に大きくなる。噴出口３１ｄの狭い隙間に詰まっていた異物は、噴出口３１ｄの開口面積が大きくなることにより、送水管ａから通じて圧送される圧力洗浄水の水圧によって、噴出口３１ｄの外側に押し出されて排出される。
【０１３６】
外筒３１の内部に詰まっている異物が排出されると、バネ３６の付勢力に打ち勝って強制的に外筒３１の他端側３１ｂの固定盤３７の外部側に引っ張り出していたピストンロッド３４ｂの先端の把手３８を掴んでいた手を離すと、ピストン３４及びピストンロッド３４ｂはバネ３６の付勢力によってシリンダー室３３の先端側３３ａに向けて移動する。そして、シリンダー室３３の先端側３３ａに向けて移動したピストン３４は、ピストンロッド３４ｂの先端側の雄ネジ３４ｃに螺合された開口幅調整環状盤３９の前面が外筒３１の他端側３１ｂに取り付けられた固定盤３７の後面に当たることにより係止される。
【０１３７】
ピストン３４が開口幅調整環状盤３９によって係止されると、噴出口３１ｄの内周側の大部分は再びピストン３４の側周面の一部によって覆われて、その開口面積は最小となる。ピストン先端面３４ａは段差環状面３１ｃと共に最小の開口面積となる噴射口３５を形成し、最小開口面積となった噴射口３５から勢いよく噴射された圧力洗浄水は、ネットに捕捉された塵芥を落下させて洗い流す。
【０１３８】
なお、この発明は上記発明を実施するための最良の形態に限定されるものではなく、この発明の精神を逸脱しない範囲で種々の改変をなし得ることは勿論である。
【図面の簡単な説明】
【０１３９】
【図１】（Ａ）はこの発明を実施するための最良の形態−１を示す噴射時の洗浄ノズルの側断面図である。（Ｂ）は図１（Ａ）のＢ−Ｂ矢視図である。（Ｃ）は図１（Ａ）のＣ−Ｃ矢視図である。
【図２】この発明を実施するための最良の形態−１を示す異物排除時の洗浄ノズルの側断面図である。
【図３】（Ａ）はこの発明を実施するための最良の形態−１を示す外筒の側断面図である。（Ｂ）はこの発明を実施するための最良の形態−１を示すピストン及びピストンロッドの側断面図である。（Ｃ）はこの発明を実施するための最良の形態−１を示すピストン先端面の正面図である。（Ｄ）はこの発明を実施するための最良の形態−１を示すバネの側断面図である。（Ｅ）はこの発明を実施するための最良の形態−１を示す固定盤の側断面図である。（Ｆ）はこの発明を実施するための最良の形態−１を示す把手の側面図である。
【図４】（Ａ）はこの発明を実施するための最良の形態−２を示す噴射時の洗浄ノズルの側断面図である。（Ｂ）は図４（Ａ）のＢ−Ｂ矢視図である。（Ｃ）は図４（Ａ）のＣ−Ｃ矢視図である。
【図５】この発明を実施するための最良の形態−２を示す異物排除時の洗浄ノズルの側断面図である。
【図６】（Ａ）はこの発明を実施するための最良の形態−２を示す外筒の側断面図である。（Ｂ）はこの発明を実施するための最良の形態−２を示すピストン及びピストンロッドの側断面図である。（Ｃ）はこの発明を実施するための最良の形態−２を示すバネの側断面図である。（Ｄ）はこの発明を実施するための最良の形態−２を示す固定盤の側断面図である。（Ｅ）はこの発明を実施するための最良の形態−２を示す把手の側面図である。
【図７】（Ａ）はこの発明を実施するための最良の形態−３を示す噴射時の洗浄ノズルの側断面図である。（Ｂ）は図７（Ａ）のＢ−Ｂ矢視図である。（Ｃ）は図７（Ａ）のＣ−Ｃ矢視図である。
【図８】この発明を実施するための最良の形態−３を示す異物排除時の洗浄ノズルの側断面図である。
【図９】（Ａ）はこの発明を実施するための最良の形態−３を示す外筒の側断面図である。（Ｂ）はこの発明を実施するための最良の形態−３を示すピストン及びピストンロッドの側断面図である。（Ｃ）はこの発明を実施するための最良の形態−３を示すバネの側断面図である。（Ｄ）はこの発明を実施するための最良の形態−３を示す固定盤の側断面図である。（Ｅ）はこの発明を実施するための最良の形態−３を示す開口幅調整環状盤の側断面図である。（Ｆ）はこの発明を実施するための最良の形態−３を示す把手の側面図である。
【符号の説明】
【０１４０】
１    洗浄ノズル
１１    外筒
１１ａ  一端側
１１ｂ  他端側
１１ｃ  ストッパー面
１１ｄ  噴出口
１１ｅ  雄ネジ
１１ｆ  空気出入孔
１２    導水路
１２ａ  流入口側
１２ｂ  流出口側
１３    シリンダー室
１３ａ  先端側
１４    ピストン
１４ａ  ピストン先端面
１４ｂ  噴射溝
１４ｃ  ピストンロッド
１４ｄ  ガイド溝
１５    噴射口
１６    バネ
１７    固定盤
１７ａ  環状孔
１７ｂ  取付螺子
１８    把手
１８ａ  連結具
２    洗浄ノズル
２１    外筒
２１ａ  一端側
２１ｂ  他端側
２１ｃ  ストッパー面
２１ｄ  噴出口
２１ｅ  雄ネジ
２１ｆ  空気出入孔
２２    導水路
２２ａ  流入口側
２２ｂ  流出口側
２３    シリンダー室
２３ａ  先端側
２４    ピストン
２４ａ  ピストン先端面
２４ｂ  ピストンロッド
２５    噴射口
２６    バネ
２７    固定盤
２７ａ  環状孔
２７ｂ  取付螺子
２８    把手
２８ａ  連結具
３    洗浄ノズル
３１    外筒
３１ａ  一端側
３１ｂ  他端側
３１ｃ  段差環状面
３１ｄ  噴出口
３１ｅ  雄ネジ
３１ｆ  空気出入孔
３２    導水路
３２ａ  流入口側
３２ｂ  流出口側
３３    シリンダー室
３３ａ  先端側
３４    ピストン
３４ａ  ピストン先端面
３４ｂ  ピストンロッド
３４ｃ  雄ネジ
３５    噴射口
３６    バネ
３７    固定盤
３７ａ  環状孔
３７ｂ  取付螺子
３８    把手
３８ａ  連結具
３９    開口幅調整環状盤
３９ａ  雌ネジ
ａ    送水管
【図１】
2006223945.tif 000003
【図２】
2006223945.tif 000004
【図３】
2006223945.tif 000005
【図４】
2006223945.tif 000006
【図５】
2006223945.tif 000007
【図６】
2006223945.tif 000008
【図７】
2006223945.tif 000009
【図８】
2006223945.tif 000010
【図９】
2006223945.tif 000011